(57)【要約】【課題】簡易な構造で、部品点数の削減が可能なキーコード変換型のディスクタンブラー錠を提供する。【解決手段】このディスクタンブラー錠は、錠の外殻を形成する外筒２と、外筒２内に回転可能に挿入され、キー挿入孔３１を軸方向に設け、キー挿入孔３１と直角方向に複数のタンブラー挿入孔３２をキー挿入孔と連通して設けた内筒３と、各タンブラー挿入孔３２に摺動可能に挿入された第１ディスクタンブラー６、第２ディスクタンブラー７と、を備える。内筒の外周部に設けられた、第１ロック用溝３４内に、第１ロック部材４がラジアル方向に摺動可能に取り付けられ、第２ロック用溝３５内に、第２ロック部材５がラジアル方向に摺動可能に取り付けられる。第１ロック部材４、第２ロック部材５は外筒の内周面に形成された係止溝２１に先端部を嵌合可能である。【選択図】図３
2011169007.tif 000002
【特許請求の範囲】
【請求項１】
錠の外殻を形成する外筒と、
該外筒内に回転可能に挿入され、キー挿入孔を軸方向に設け、該キー挿入孔と直角方向に複数のタンブラー挿入孔を該キー挿入孔と連通して設けた内筒と、
該各タンブラー挿入孔に摺動可能に挿入されたディスクタンブラーと、
該内筒の外周部に設けられたロック用溝内に、ラジアル方向に摺動可能に取り付けられ、該外筒の内周面に形成された係止溝に先端部を嵌合可能とし、該ディスクタンブラーの動作によって該先端部を該係止溝に嵌合させて、該内筒をロックするロック部材と、
を備えたディスクタンブラー錠であって、
前記ディスクタンブラーは第１ディスクタンブラーと第２ディスクタンブラーとからなり、該第１ディスクタンブラーにはラック状の歯部が設けられる一方、該第２ディスクタンブラーには該歯部と噛合可能な２個の方形突部が設けられ、
該第１ディスクタンブラーには合鍵に形成されたキー溝に係合可能な方形突起部が設けられ、
前記ロック部材は第１ロック部材と第２ロック部材とからなり、前記第２ディスクタンブラーには該第１ロック部材の末端部が進入可能な開口凹部が設けられ、合鍵による解錠操作時に、該１ロック部材の末端部を該開口凹部内に進入させて該１ロック部材による該内筒のロックを解除する一方、該１ロック部材と該第２ロック部材との間で該第１ディスクタンブラーを挟むように保持し、
該外筒の内周面には、キーコードの変換時に、該内筒を所定角度だけ回転させたとき、該第１ロック部材を該内筒の内側に押し込むための第１ロック押込用突起が設けられ、
キーコードの変換時、該第１ロック部材が該内筒の内側に押し込まれたとき、該第１ロック部材が前記第１ディスクタンブラーを押して摺動させ、第１ディスクタンブラーの歯部と該第２ディスクタンブラーの方形突部との噛合を解除して、変換用合鍵の挿入時に該第１ディスクタンブラーを摺動可能な状態とすることを特徴とするディスクタンブラー錠。
【請求項２】
前記第１ディスクタンブラーは方形穴を有し、該方形穴内の一方の側部に前記方形突起部が突設され、前記ラック状の歯部が該第１ディスクタンブラーの側縁部に形成されたことを特徴とする請求項１記載のディスクタンブラー錠。
【請求項３】
前記第１ロック部材が、キーコードの変換時、内筒を所定角度まで回したとき、前記第１ロック押込用突起に乗り上げて内側に摺動するように取り付けられ、該第１ロック部材の摺動により前記第１ディスクタンブラーが押され、該第１ディスクタンブラーの歯部と前記第２ディスクタンブラーの方形突部との噛合を解除したとき、該第１ディスクタンブラーが該第１ロック部材と第２ロック部材との間で挟まれて保持されることを特徴とする請求項１記載のディスクタンブラー錠。
【請求項４】
前記第１ロック押込用突起は、前記第２ロック部材との係合を回避するように両側に離れた位置に、２個の突起として前記外筒の内周面に突設されたことを特徴とする請求項１記載のディスクタンブラー錠。                                                                       
【発明の詳細な説明】
【技術分野】
【０００１】
本発明は、キーコードを変換可能なディスクタンブラー錠に関し、特に構造が簡易で、安価に製造することが可能なキーコード変換型のディスクタンブラー錠に関する。
【背景技術】
【０００２】
キーコードを変換可能なディスクタンブラー型のシリンダ錠として、下記特許文献１に、ディスクタンブラーを有した、キーコード変換型のシリンダ錠が提案されている。このシリンダ錠は、外周シリンダ内に内周シリンダを回動可能に挿入し、内周シリンダの外周部に軸方向に形成された溝にサイドバーがラジアル方向に移動可能に装着される一方、外周シリンダ内の対応箇所にサイドバーの先端部が嵌入する係合溝が軸方向に設けられ、さらに、内周シリンダには、複数のタンブラー挿入穴が軸に対し垂直方向に並設され、これらのタンブラー挿入孔に、開閉プレートとタンブラープレートからなる複数対のディスクタンブラーが軸と垂直方向に移動可能に挿入されて構成される。
【先行技術文献】
【特許文献】
【０００３】
【特許文献１】特開２００７−１７７４２３号公報
【発明の概要】
【発明が解決しようとする課題】
【０００４】
この種の従来のシリンダ錠は、内周シリンダの各タンブラー挿入孔に挿入される各開閉プレートとタンブラープレートが、タンブラープレートに突設された係合ピンと開閉プレートに穿設された複数の係合穴の係合により、共に移動し、且つキーコードの変換時には係合ピンと係合穴の係合位置を変えて、合鍵用のキーコードを変換するようになっている。
【０００５】
しかし、開閉プレート及びタンブラープレートが微小な部品であることに加え、係合ピンを使用するために、さらに微小の係合ピンをタンブラープレートに、かしめ加工などにより、取り付ける必要があり、一方、開閉プレートには係合ピンが嵌合する微小な係合穴を穿設する必要があり、開閉プレート及びタンブラープレートの製造時、その製造工程の複雑化、加工工数の増大、及び組付工程の煩雑化を惹起する課題があった。
【０００６】
さらに、複数のタンブラー挿入穴に挿入される各開閉プレートには、それを一方向に付勢する微小のコイルばねが各々に装着され、これらのコイルばねを各開閉プレートに当接させて嵌め込むために、内周シリンダの一部に開口部を形成する一方、複数のコイルばねと開閉プレートを収納保持するためのガイドブロックをその開口部に嵌め込む必要があり、加えてガイドブロックにはばねカバーを固定する必要があり、これによっても、部品点数の増大、構造の複雑化、及び加工工数の増大を生じさせ、そのために、ディスクタンブラー錠の製造コストが増大する課題があった。
【０００７】
本発明は、上述の課題を解決するものであり、簡易な構造で、部品点数の削減が可能なキーコード変換型のディスクタンブラー錠を提供することを目的とする。
【課題を解決するための手段】
【０００８】
上記目的を達成するために、本発明の請求項１のディスクタンブラー錠は、
錠の外殻を形成する外筒と、
該外筒内に回転可能に挿入され、キー挿入孔を軸方向に設け、該キー挿入孔と直角方向に複数のタンブラー挿入孔を該キー挿入孔と連通して設けた内筒と、
該各タンブラー挿入孔に摺動可能に挿入されたディスクタンブラーと、
該内筒の外周部に設けられたロック用溝内に、ラジアル方向に摺動可能に取り付けられ、該外筒の内周面に形成された係止溝に先端部を嵌合可能とし、該ディスクタンブラーの動作によって該先端部を該係止溝に嵌合させて、該内筒をロックするロック部材と、
を備えたディスクタンブラー錠であって、
前記ディスクタンブラーは第１ディスクタンブラーと第２ディスクタンブラーとからなり、該第１ディスクタンブラーにはラック状の歯部が設けられる一方、該第２ディスクタンブラーには該歯部と噛合可能な２個の方形突部が設けられ、
該第１ディスクタンブラーには合鍵に形成されたキー溝に係合可能な方形突起部が設けられ、
前記ロック部材は第１ロック部材と第２ロック部材とからなり、前記第２ディスクタンブラーには該第１ロック部材の末端部が進入可能な開口凹部が設けられ、合鍵による解錠操作時に、該１ロック部材の末端部を該開口凹部内に進入させて該１ロック部材による該内筒のロックを解除する一方、該１ロック部材と該第２ロック部材との間で該第１ディスクタンブラーを挟むように保持し、
該外筒の内周面には、キーコードの変換時に、該内筒を所定角度だけ回転させたとき、該第１ロック部材の該内筒の内側に押し込むための第１ロック押込用突起が設けられ、
キーコードの変換時、該第１ロック部材が該内筒の内側に押し込まれたとき、該第１ロック部材が前記第１ディスクタンブラーを押して摺動させ、第１ディスクタンブラーの歯部と該第２ディスクタンブラーの方形突部との噛合を解除して、変換用合鍵の挿入時に該第１ディスクタンブラーを摺動可能な状態とすることを特徴とする。
【０００９】
この発明によれば、第１ディスクタンブラーと第２ディスクタンブラーの係合が、第１ディスクタンブラーに設けたラック状の歯部と第２ディスクタンブラー７の方形突部の噛合により行なうため、キーコード（合鍵）を変換する際には、正確に且つ確実に歯部のピッチ分だけずらして、第１ディスクタンブラーと第２ディスクタンブラーの係合形態の変更による、キーコード（合鍵）の変換を正確且つ確実に行なうことができる。また、ラック状の歯部の歯数と２個の方形突部の噛合により、実際の使用に則して充分な数のキーコードを設定することができる。
【００１０】
さらに、合鍵を抜き差しする際、第１ディスクタンブラーと第２ディスクタンブラーは、第１ディスクタンブラーに設けたラック状の歯部と第２ディスクタンブラーの方形突部の噛合により、その係合が確実に保持されるので、繰り返しの解錠・施錠操作においても、動作不良が生じず、高い耐久性を持って使用することができる。
【００１１】
さらに、第１ディスクタンブラーと第２ディスクタンブラーを含め、部品点数の少ない簡易な構造とすることができ、ラック状の歯部を設けた第１ディスクタンブラーと方形突部を設けた第２ディスクタンブラーは、プレス加工などを用いて少ない加工工数で簡単に効率よく製造することができ、少ない部品点数と加工工数によりディスクタンブラー錠を安価に製造することができる。
【００１２】
請求項２の発明は、上記請求項１のディスクタンブラー錠において、上記第１ディスクタンブラーは方形穴を有し、該方形穴内の一方の側部に上記方形突起部が突設され、上記ラック状の歯部が第１ディスクタンブラーの側縁部に形成されたことを特徴とする。
【００１３】
この発明によれば、第１ディスクタンブラーの方形穴内にキー挿入孔を形成することができ、第１ディスクタンブラーをバランスの取れた形状として、第２ディスクタンブラーと共に内筒のタンブラー挿入孔内に、適正摺動可能に配置することができる。
【００１４】
請求項３の発明は、上記請求項１のディスクタンブラー錠において、上記第１ロック部材が、キーコードの変換時、内筒を所定角度まで回したとき、上記第１ロック押込用突起に乗り上げて内側に摺動するように取り付けられ、該第１ロック部材の摺動により上記第１ディスクタンブラーが押され、該第１ディスクタンブラーの歯部と上記第２ディスクタンブラーの方形突部との噛合を解除したとき、該第１ディスクタンブラーが該第１ロック部材と第２ロック部材との間で挟まれて保持されることを特徴とする。
【００１５】
この発明によれば、第１ディスクタンブラーの歯部と上記第２ディスクタンブラーの方形突部との噛合を解除した状態で、第１ディスクタンブラーを摺動させ、合鍵の変換動作を正確に安定して行なうことができる。
【００１６】
請求項４の発明は、上記請求項１のディスクタンブラー錠において、上記第１ロック押込用突起が上記第２ロック部材との係合を回避するように両側に離れた位置に、２個の突起として上記外筒の内周面に突設されたことを特徴とする。
【００１７】
この発明によれば、通常使用時、上記第１ロック押込用突起と上記第２ロック部材との係合を避けながら該第２ロック部材を内筒と共に回転させ、第１ロック部材と第２ロック部材の間で第１ディスクタンブラーを保持して、解錠動作を良好に行なうことができる。
【発明の効果】
【００１８】
本発明のディスクタンブラー錠によれば、キーコード変換型のディスクタンブラー錠であっても、比較的簡単な構造で、部品点数を少なくすることができ、製造時の各部品の加工工数を低減して、安価にディスクタンブラー錠を製造することができる。
【図面の簡単な説明】
【００１９】
【図１】本発明の一実施形態を示すディスクタンブラー錠の正面図である。
【図２】同ディスクタンブラー錠の左側面図である。
【図３】図２のIII-III拡大断面図である。
【図４】同ディスクタンブラー錠の背面側からの斜視図である。
【図５】正面側からの同ディスクタンブラー錠の斜視図である。
【図６】同ディスクタンブラー錠の分解平面図である。
【図７】同ディスクタンブラー錠の分解正面図である。
【図８】ディスクタンブラー錠本体の分解斜視図である。
【図９】（ａ）は外筒の正面図、（ｂ）は外筒の背面側からの斜視図、（ｃ）は外筒の背面図である。
【図１０】内筒の正面側からの斜視図である。
【図１１】内筒の背面側からの斜視図である。
【図１２】第１ディスクタンブラーと第２ディスクタンブラーの一方側からの斜視図であって、組み付けた状態（ａ）と分離した状態（ｂ）の斜視図である。
【図１３】第１ディスクタンブラーと第２ディスクタンブラーの他方側からの斜視図であって、組み付けた状態（ａ）と分離した状態（ｂ）の斜視図である。
【図１４】ディスクタンブラー錠本体に合鍵を挿入し、時計方向に１３０°回した状態の断面図である。
【図１５】連結軸、連結筒、フランジ部材を含む錠の延長部の分解斜視図である。
【図１６】フランジ部材、固定円筒、及び出力軸を組み付けた状態の正面図である。
【図１７】フランジ部材、固定円筒、及び出力軸の分解斜視図である。
【図１８】図２における拡大X-X断面図である。
【図１９】変換時に変換レバーを操作して連結軸を１８０°回した状態の図２の拡大X-X断面図である。
【図２０】（ａ）（ｂ）は合鍵の両面を示す斜視図である。
【図２１】合鍵を変換する際、キー挿入孔に挿入した合鍵を１８０°回したときの断面説明図である。
【図２２】新たな合鍵をキー挿入孔に挿入し、原位置に戻すように回した状態の断面説明図である。
【図２３】原位置に戻した新たな合鍵をキー挿入孔から抜いた状態の断面説明図である。
【発明を実施するための形態】
【００２０】
以下、本発明の一実施形態を図面に基づいて説明する。なお、斜視図において表示する矢印Ｆは錠の前方を表示し、矢印Ｒは錠の後方を表示している。本実施形態のディスクタンブラー錠は、図２，４，５に示すように、標準の長さを有したディスクタンブラー錠本体１の基部に、錠の延長部を連結し長尺のシリンダ錠として構成される。
【００２１】
このディスクタンブラー錠は、ディスクタンブラー錠本体１の基部に連結軸９及び連結筒１０を接続すると共に、連結筒１０の基部をフランジ部材１２の固定円筒１３に結合し、固定円筒１３の内側に回動可能に保持された出力軸（錠軸）１１の先端に、連結軸９の末端を連結し、長尺のシリンダ錠として構成される。さらに、このディスクタンブラー錠本体１は、合鍵を変換可能とするキー変換型、つまり錠を解錠する際のキーコードを変換可能なキーコード変換型として構成される。
【００２２】
ディスクタンブラー錠本体１は、図８に示すように、シリンダ錠の外殻となる円筒状の外筒２を有し、外筒２内には、キー操作により回動する略円柱状の内筒３が、所定の角度範囲（通常使用時、図３の時計方向または反時計方向に例えば約１３０°、キー変換時には時計方向または反時計方向に例えば約１８０°の範囲）で回転可能に挿入される。図３に示す回転面Ｘが解錠時における内筒３と外筒２の境界面を構成する。
【００２３】
外筒２は、図９に示すように、その前面側に内側フランジ部を有しており、内側フランジ部の内側に、内筒３のキー挿入孔３１を露出させるための前面開口部２２が設けられる。外筒２の背面側端部は、図９（ｂ）の如く、そのままストレートに開口し、その開口近傍の内壁部には、連結筒１０の先端部を嵌入させるための薄い嵌入凹部が内側円周に沿って形成されている。
【００２４】
さらに、図９（ｃ）に示すように、外筒２内における、後述の第１ロック部材４を有する内筒３が通常施錠位置にある時、その第１ロック部材４が嵌合して係止される位置、つまり正面視の外筒２内の９時相当位置に、略三角形の横断面形状を有する係止溝２１が軸方向（長手方向）に沿って形成されている。この係止溝２１には、図３に示すように、第１ロック部材４が嵌合するほか、図２２に示すように、変換時に合鍵を１８０°回転したとき、第２ロック部材５が嵌合可能となっている。
【００２５】
また、図９（ｂ）に示すように、外筒２内における正面視の３時相当位置、つまり後述の第１ロック部材４及び第２ロック部材５を有する内筒３が通常施錠位置（原位置）にある時、その第２ロック部材５と同じ円周角度位置に、１対の第１ロック押込用突起２０が第２ロック部材５の幅以上の間隔をおいて突設されている。これら１対の第1ロック押込用突起２０は、図３に示す如く、内筒３の回転時、第２ロック部材５とは係合しない、外筒２の先端側と末端側の両端部に外れた位置に形成されている。
【００２６】
また、これらの２箇所の第1ロック押込用突起２０は、図２１に示す如く、キーコード変換時に、内筒３を１８０°回転させたとき、第１ロック部材４を内側に押し込み、第１ディスクタンブラー６と第２ディスクタンブラー７の噛合を分離させるために、第１ロック部材４と第1ロック押込用突起２０は係合可能に形成されている。図９に示すように、１対の第1ロック押込用突起２０は、略三角形の横断面形状を有して軸方向（長手方向）に短い幅で形成され、第２ロック部材５が第１ロック押込用突起２０と対向する位置（合鍵を抜いた通常施錠位置）では、図３のように、第２ロック部材５の先端部は第1ロック押込用突起２０と係合せず、第１ロック押込用突起２０と２０の間に位置するようになっている。
【００２７】
一方、キーコード（合鍵）を変換する際、挿入した合鍵により内筒３を１８０°回した状態では、図２１のように、第１ロック部材４の先端部が第１ロック押込用突起２０の先端部と係合し、これにより、第１ロック部材４が内筒３の内側に押し込まれ、第１ロック部材４が後述の第１ディスクタンブラー６を第２ロック部材５側に押して、第１ディスクタンブラー６と第２ディスクタンブラー７と噛合を外すよう構造となっている。
【００２８】
１対の第1ロック押込用突起２０は、図９（ｂ）に示すように、第２ロック部材５の長さより少し長い間隔をおいて配置され、２個の第1ロック押込用突起２０と２０の間は、外筒２の内周面と略同一レベルとなっている。したがって、内筒３の回転により、第１ロック部材４が第１ロック押込用突起２０の位置に達したとき、第１ロック部材４と第１ロック押込用突起２０が係合し、第１ロック部材４は内側に押し込まれるが、第２ロック部材５が第１ロック押込用突起２０の位置に達する通常時には、図３のように、第２ロック部材５とが第１ロック押込用突起２０は係合しないようになっている。第２ロック部材５は、第１ディスクタンブラー６を第１ロック部材４との間に挟むようにして保持し、内筒３の回転時、第１ディスクタンブラー６がラジアル方向に移動しないように動作する。また、第２ロック部材５は、キーコードの変換時に、内筒３を１８０°回転したとき、外筒２の係止溝２１にその三角尖頭部を嵌合させて、その角度位置を保持するように動作する。
【００２９】
一方、外筒２の内周面における第1ロック押込用突起２０と反対側には、横断面を略三角形とする係止溝２１が長手方向（軸方向）に沿って形成されている。つまり、図３に示す如く、外筒２の正面視の９時相当位置に係止溝２１が形成され、この係止溝２１には、図３に示す如く、内筒３が通常施錠状態のとき、内筒３の第１ロック部材４が嵌入して係止されるようになっている。また、この係止溝２１には、キー変換時に内筒３が１８０°回転したとき、図２１に示すように、第１ロック部材４とは１８０°反対側の第２ロック部材５の先端部が嵌入して係止されるようになっている。
【００３０】
外筒２内に回転可能に挿入される内筒３は、図６〜図１１に如く、概略的には円柱状に形成され、その軸心位置に、横断面を長方形とするキー挿入孔３１が軸方向に沿って形成されている。さらに、内筒３内には、キー挿入孔３１を横断する方向、つまりキー挿入孔３１の軸方向と直角に、８個のタンブラー挿入孔３２が一定の間隔をおいて並設されている。８個のタンブラー挿入孔３２は、図６、図８などに示すように、段差部を有した平板状空間として形成され、後述の第１ディスクタンブラー６と第２ディスクタンブラー７を重ね合わせた状態で挿入し、所定の範囲で摺動可能に形成されている。また、各タンブラー挿入孔３２は、内筒３内で、その軸芯位置のキー挿入孔３１と連通している。
【００３１】
さらに、各タンブラー挿入孔３２内に挿入された第１ディスクタンブラー６と第２ディスクタンブラー７は、合鍵をキー挿入孔３１内に挿入した際、図３の上下方向つまり錠の軸方向とは垂直の上下方向に、タンブラー挿入孔３２内を移動可能となっており、さらに、キーコード（合鍵）の変換時に内筒３を１８０°回転させたときには、第１ロック部材４の内側への移動に伴い、第１ディスクタンブラー６が、第２ディスクタンブラー７に対する係合位置を変えるように、タンブラー挿入孔３２内をその幅方向に移動可能となっている。
【００３２】
上述のように、内筒３にはその軸と垂直方向に８個のタンブラー挿入孔３２が板状空間として一定の間隔をおいて並設されているが、図８、図１１に示すように、内筒３の背面側後部の小径部分には、第２のタンブラー挿入孔３３が上記８枚のタンブラー挿入孔３２と平行に形成されている。この第２のタンブラー挿入孔３３は、内筒軸芯位置に設けたキー挿入孔３１と連通して形成され、タンブラー挿入孔３３には１枚の第３ディスクタンブラー８が図８のように挿入される。この第３ディスクタンブラー８は、合鍵をキー挿入孔３１に、正しく最も奥まで挿入した状態で、外筒２の係止凹部２３との係合を外し、内筒３が適正に回転するように機能するものである。
【００３３】
一方、内筒３の外周部における正面視で９時相当位置に、第１ロック用溝３４が図３、８に示すように内筒３の軸方向に沿って形成され、この第１ロック用溝３４は内筒３内の上記各タンブラー挿入孔３２に連通している。この第１ロック用溝３４には図８の如く、棒状の第１ロック部材４がラジアル方向に摺動可能に嵌め込まれる。
【００３４】
この第１ロック部材４は、角柱の側面に、横断面を略二等辺三角形とする三角柱を一体形成し、先端に三角尖頭部を設けるように構成され、上記外筒２内の係止溝２１にその三角尖頭部を嵌合可能とするように、第１ロック部材４はその三角尖頭部を内筒３の外周方向に向けて配設される。また、この第１ロック部材４は第２ロック部材５よりその軸方向の長さが長く形成され、第１ロック部材４が係止溝２１と係合する状態から内筒３を１８０°回転させたとき、図２１のように、第１ロック部材４が、係止溝２１と反対側の外筒内の第1ロック押込用突起２０に乗り上げるように係合し、内筒３の内側に押し込まれる構造となっている。
【００３５】
このような第１ロック部材４は、内筒３の第１ロック用溝３４内に挿入する際、図８に示すように、２本のコイルばね３６を第１ロック用溝３４内の両端部近傍に装着し、コイルばね３６を圧縮する形態で、第１ロック用溝３４内に挿入される。これにより、第１ロック部材４は、内筒３の第１ロック用溝３４内において、２本のコイルばね３６により、その三角尖頭部をラジアル方向外側つまり外筒２側に突き出すように付勢され、装着される。図３に示すように、通常時、第１ロック部材４の三角尖頭部は略三角形断面の係止溝２１に係合し、第１ロック部材４はコイルばね３６により突出係合方向に付勢されるが、図１４に示すように、合鍵を挿入し内筒３を回動操作した時には、第１ロック部材４がコイルばね３６を圧縮して内側に移動し、内筒３を回動操作することができる。
【００３６】
内筒３の外周部における正面視の３時相当位置には、図３、図１０に示すように、第２ロック用溝３５が軸方向に沿って形成され、この第２ロック用溝３５は内筒３内の上記各タンブラー挿入孔３２に連通している。また、この第２ロック用溝３５には図３、１０の如く、棒状の第２ロック部材５がラジアル方向に摺動可能に嵌め込まれる。第２ロック部材５は、角柱の側面に、横断面を略二等辺三角形とする三角柱を一体形成し、三角尖頭部を先端に設けるように構成され、上記外筒２内の係止溝２１にその三角尖頭部を嵌合可能としている。また、第２ロック部材５は、上記第１ロック部材４より軸方向の幅が短く形成され、内筒３が通常施錠位置にあるとき、図３のように、第２ロック部材５の三角尖頭部は、第1ロック押込用突起２０の間に位置し、第２ロック部材５は第１ロック押込用突起２０とは係合しないようになっている。
【００３７】
また、上記と同様、この第２ロック部材５は、内筒３の第２ロック用溝３５内にラジアル方向に摺動可能に挿入されるが、第２ロック部材５を第２ロック用溝３５内に挿入する際、図８に示すように、２本のコイルばね３７を第２ロック用溝３５内の両端部近傍に挿入し、コイルばね３７を圧縮する形態で、第２ロック用溝３５内に挿入される。これにより、第２ロック部材５は、内筒３の第２ロック用溝３５内において、２本のコイルばね３７により、その三角尖頭部をラジアル方向外側に突き出すように付勢され、装着される。
【００３８】
第２ロック部材５は、図２１に示すように、キーコード変換時に内筒３を１８０°回動操作した時には、その三角尖頭部が略三角形断面の係止溝２１に係合し、第２ロック部材５はコイルばね３７により突出係合方向に付勢されるが、別の合鍵を挿入して元の位置に戻すように１８０°回転操作したときには、図２２，２３に示すように、第２ロック部材５がコイルばね３７を圧縮して内側に移動し、内筒３を回動操作することができる。なお、内筒３の背面後部には、図８に示すように、連結嵌合部３８が設けられ、ディスクタンブラー錠本体１を錠の延長部と連結した際、後述の連結軸９の前端部がこの連結嵌合部３８に嵌合して連結される構造となっている。
【００３９】
上記のように、内筒３に形成された８個の各タンブラー挿入孔３２には、第１ディスクタンブラー６と第２ディスクタンブラー７が図８のように重ね合わせ噛合した状態で挿入されるが、第１ディスクタンブラー６と第２ディスクタンブラー７の形状は、図１２，１３に示すように構成される。
【００４０】
すなわち、第１ディスクタンブラー６は、図１２、図１３に示すように、金属板の内側に方形穴６ａを開口形成して構成され、方形穴６ａは合鍵が挿入可能な大きさに形成されている。また、方形穴６ａ内の一側部に方形突起部６ｂが突設され、合鍵２５（図２０）を内筒３のキー挿入孔３１に挿入したとき、方形突起部６ｂは合鍵のキーブランクの平面側に形成されたキー溝２６（図２０）に嵌入するように構成される。
【００４１】
さらに、第１ディスクタンブラー６の一方の側縁部には歯部６ｃが形成される。この歯部６ｃは、ラック状に形成され、複数の歯を、所定間隔の凹部を介して直線上に所定のピッチで並設して形成される。歯部６ｃにおけるこれらの凹部には、後述の第２ディスクタンブラー７における２個の方形突部７ａが噛合可能であり、第１ディスクタンブラー６と第２ディスクタンブラー７はその歯部６ｃと方形突部７ａを介して噛合可能となっている。
【００４２】
一方、第２ディスクタンブラー７は、図１２に示すように、略長方形の金属板の一側部に開口凹部７ｂを設け、金属板の一面の上部と下部に、１対の方形突部７ａを突設して構成される。第２ディスクタンブラー７の開口凹部７ｂは、図１４などに示すように、上述の内筒３の第１ロック用溝３４に装着した第１ロック部材４の基部が進入可能に形成される。第１ディスクタンブラー６と第２ディスクタンブラー７は、図１２（ａ），１３（ａ）に示すように、相互に重ね合わせるように組み合わせた状態で、タンブラー挿入孔３２内に挿入されるが、その第２ディスクタンブラー７における第１ディスクタンブラー６との合わせ面に、２個の方形突部７ａが第１ディスクタンブラー６の歯部６ｃと噛合可能に設けられる。
【００４３】
２個の方形突部７ａは、第１ディスクタンブラー６の歯部６ｃの凹部に噛合可能に、第１ディスクタンブラー６の歯部６ｃのピッチつまり歯部６ｃの歯と歯の間の凹部の間隔に合わせて配置され、これにより、図１２（ｂ）、図１３（ｂ）に示すように、第１ディスクタンブラー６の歯部６ｃと第２ディスクタンブラー７の方形突部７ａの噛合形態は、第２ディスクタンブラー７に対し第１ディスクタンブラー６の上下位置を歯部６ｃの１ピッチ分だけ上または下にずらして、変えることができるようになっている。このように、第２ディスクタンブラー７に対する第１ディスクタンブラー６の上下位置を歯部６ｃの１ピッチ分だけ図１２，１３の上または下にずらすことにより、キーコード（合鍵）を変換可能としている。
【００４４】
図１２（ｂ）、図１３（ｂ）に示すように、第２ディスクタンブラー７の第１ディスクタンブラー６に対する方形突部７ａと歯部６ｃの噛合形態は、上中下の３種類に設定され、このような３種類の組み合せが８枚の第１ディスクタンブラー６と第２ディスクタンブラー７の組み合わせについて設定可能となり、多数のキーコード（合鍵）が設定できる。
【００４５】
ところで、第２ディスクタンブラー７は、通常の大きさのシリンダ錠の場合、縦約８ｍｍ、横約２ｍｍに形成された金属板上に、約１ｍｍ四方の方形突部７ａを突設するような微小な金属部品として形成されるところ、このような微小な方形突部７ａであっても、第２ディスクタンブラー７の成形加工時に、プレス加工により正確に製造することができ、これにより、効率よく製造することができる。
【００４６】
一方、上述の如く、内筒３の背面側後部に形成されたタンブラー挿入孔３３に、第３ディスクタンブラー８が挿入されるが、この第３ディスクタンブラー８は、合鍵を内筒３のキー挿入孔３１から抜いた状態で、その係止突部８ｃを外筒２の係止凹部２３に嵌入させて内筒３をロックし、合鍵をキー挿入孔３１の最も奥まで適正に挿入したとき、内筒３を回転可能な状態とするように機能する。
【００４７】
図８に示すように、第３ディスクタンブラー８は、略長方形の金属板の内側に方形穴８ａを形成し、方形穴８ａ内に突き出すように方形突起部８ｂを突設し、さらに係止突部８ｃを下側に突設して形成される。方形突起部８ｂは、図２０に示すように合鍵２５のキーブランク先端付近の平面に形成されたキー溝２６に係合するものであり、内筒３の背面側後部に設けたタンブラー挿入孔３３に図８の如く、コイルばね８ｄと共に下側から挿入され、その外側に外筒２をはめ込んだとき、下部の係止突部８ｃは、外筒２の後下部の内側に形成された係止凹部２３（図９ｃ）に嵌合して内筒３をロックする。
【００４８】
つまり、第３ディスクタンブラー８は、合鍵を抜いた状態の通常施錠時、コイルばね８ｄの付勢力により、内筒３から外筒２側にその下部の係止突部８ｃを突出させて内筒３の回転をロックする。一方、合鍵を内筒３のキー挿入孔３１に挿入し、それを最も奥の適正位置まで差し込んだとき、第３ディスクタンブラー８は合鍵２５のキー溝２６と方形突起部８ｂの係合により、コイルばね８ｄの付勢力に抗して、下部の係止突部８ｃを内側に引き戻すように上に移動し、係止突部８ｃと外筒２側の係止凹部２３との係合を解除し、内筒３は回転可能となっている。
【００４９】
上記構成のディスクタンブラー錠本体１を組み付ける場合、図８に示すように、内筒３の８個の各タンブラー挿入孔３２に対し、第２ディスクタンブラー７と第１ディスクタンブラー６との組付体を、各々挿入し、内筒３の後端部のタンブラー挿入孔３３には、第３ディスクタンブラー８をコイルばね８ｄと共に挿入する。さらに、内筒３の正面視で９時相当位置の第１ロック用溝３４にはコイルばね３６を介して第１ロック部材４を挿入し、内筒３の正面視で３時相当位置の第２ロック用溝３５にはコイルばね３７を介して第２ロック部材５を挿入する。
【００５０】
その状態で、各部材を保持した内筒３の外側に、外筒２を所定の角度位置に合わせ、第１ロック部材４を外筒２の係止溝２１に合わせた状態で、被せるように挿入する。これにより、ディスクタンブラー錠本体１は、図３の断面図に示すように、外筒２内に、内筒３、第１ディスクタンブラー６、第２ディスクタンブラー７、第３ディスクタンブラー８、第１ロック部材４、及び第２ロック部材５を適正に組み付けた状態に組み立てられる。
【００５１】
上記構成のディスクタンブラー錠は、合鍵を挿入しない通常状態において、図３のように、内筒３の第１ロック用溝３４に嵌合した第１ロック部材４の三角尖頭部が、外筒２の係止溝２１に係合し、且つ第１ロック部材４の末端面が第２ディスクタンブラー７の側面に当接すると共に、第２ロック部材５の三角尖頭部が、外筒２の内周面（または第1ロック押込用突起を設けている部材の内周面）に当接し、第２ロック部材５の末端面が第１ディスクタンブラー６の側面（歯部６ｃと反対側の面）に当接する。このため、外筒２の係止溝２１に係合する第１ロック部材４は内筒３の回転をロックし、施錠状態を保持する。
【００５２】
一方、内筒３のキー挿入孔３１に合鍵を挿入すると、図１４に示すように、合鍵のキー溝に８枚の各第１ディスクタンブラー６の方形突起部６ｂが係合し、各第１ディスクタンブラー６が第２ディスクタンブラー７と共に解錠位置に移動し、図３に示す第１ディスクタンブラー６の場合は図２１のように下降し、第２ディスクタンブラー７の側部の開口凹部７ｂが第１ロック部材４の基部と対向する位置となり、第１ロック部材４の内側への摺動を許容する。このような第２ディスクタンブラー７の開口凹部７ｂと第１ロック部材４の基部とが対向する位置合わせが、８枚全ての第１ディスクタンブラー６と第２ディスクタンブラー７において行なわれたとき、内筒３のロックが解除されて、内筒３が外筒２に対し回転可能となり、解錠状態となる。
【００５３】
この状態で、合鍵を図１４のように例えば時計方向に回すと、内筒３が同方向に回転し、ディスクタンブラー錠の解錠操作が行なわれるが、その際の最大回動角度範囲は、１８０°未満で、例えば約１３０°に設定される。この通常使用時におけるディスクタンブラー錠の内筒３の回転範囲は、後述の連結軸９の先端に連結される出力軸１１の回動範囲、例えば出力軸１１とカバー１７に穿設された開口孔との係合などにより設定される。
【００５４】
合鍵（キーコード）を変換する場合、キー挿入孔３１に挿入した合鍵を、後述のように、通常使用時より広い角度（ここでは１８０°）範囲で回転操作し、それによって第１ディスクタンブラー６の歯部６ｃと第２ディスクタンブラー７の方形突部７ａの噛合を離脱させて合鍵の変換を行なう。その際、回転範囲を制限されている出力軸１１の連結を、連結軸９から外して合鍵の変換を行なうが、ディスクタンブラー錠本体１の背面後部が連結される錠の延長部、つまり連結筒１０、連結軸９、フランジ部材１２、出力軸１１、変換レバー１８、連結ピン１４などは、次のように構成される。
【００５５】
ディスクタンブラー錠本体１の背面後部が連結される錠の延長部は、図１５に示すように、内筒３の背面後部の連結嵌合部３８に連結される連結軸９、その連結軸９の外側を覆う連結筒１０、連結筒１０の末端部に固定されるフランジ部材１２の固定円筒１３、連結軸９の末端部に嵌合されフランジ部材１２の中央孔から背面側に突出する出力軸１１を備えて構成される。
【００５６】
図１７に示すように、フランジ部材１２の中央上には固定円筒１３が固定され、その固定円筒１３に中央軸方向に貫通孔が形成され、その貫通孔に出力軸１１が回転可能に挿入される。出力軸１１は、図１７に示すように、小径部１１ｂと大径部１１ａを設けて形成され、先端の小径部１１ｂをフランジ部材１２の背面側に突き出して装着される。先端の小径部１１ｂには軸方向にねじ孔が形成される一方、円形の一部が切り欠かれ、施錠装置のカムやレバーなどの部材をねじ止め可能としている。また、出力軸１１の小径部１１ｂの外周に突起が形成され、固定円筒１３またはカバー１７の貫通孔の内周部に形成された突部にこの突起を当接させることにより、出力軸１１の通常使用時の回転範囲を、例えば１３０°としてキーコード変換時の１８０°未満に制限し、ディスクタンブラー錠の通常使用時に誤ってキーコードの変換動作が生じないようにしている。
【００５７】
さらに、出力軸１１の大径部１１ａの端面には、図１７の如く、円形の円形孔１１ｃが形成される。この円形孔１１ｃには、ディスクタンブラー錠本体１の内筒３に連結される連結軸９の末端嵌合部９ａが連結され、連結ピン１４の動作により連結と連結解除を行なう構造となっている。つまり、この円形孔１１ｃの円周部には、図１８に示すように、連結ピン１４が係止される係合孔１１ｄが通常使用位置に対応した角度位置に形成され、さらに、その係合孔１１ｄとは反対側つまり１８０°回転した位置に、係合凹部１１ｅが設けられている。この係合凹部１１ｅは、キーコードの変換操作時に内筒３を１８０°回転したとき、位置決め用に連結ピン１４の先端が係合してその角度位置を保持するように動作する。
【００５８】
一方、ディスクタンブラー錠本体１の内筒３に連結される連結軸９は、図１５に示すように、連結筒１０と同程度の長さに形成され、連結軸９の先端に形成された先端嵌合部９ｂは、内筒３の背面部末端の連結嵌合部３８に嵌合して連結され、内筒３の回転を連結軸９に伝達する。連結軸９の末端嵌合部９ａは、円柱状に形成され、出力軸１１の大径部１１ａの円形孔１１ｃに回転可能に嵌合されるが、通常使用位置で連結軸９と出力軸１１を連結し、連結軸９の回転を出力軸１１に伝達するために、連結軸９の末端嵌合部９ａには、図１８に示すように、連結軸の軸と垂直方向にピン孔９ｃが一方を閉鎖し他方を開口して穿設される。このピン孔９ｃに、連結ピン１４がコイルばね１５と共に摺動可能に挿入され、連結ピン１４はコイルばね１５の付勢力により、孔の開口からその半球状先端を出力軸１１の大径部１１ａの係合孔１１ｄに突出可能としている。
【００５９】
ディスクタンブラー錠の通常使用時には、図１８のように、連結ピン１４の半球状先端が出力軸１１の大径部１１ａの係合孔１１ｄに突き出し、連結軸９と出力軸１１を連結状態として回転力を伝達可能とする。一方、キーコードの変換時には、連結軸９と出力軸１１の連結を解除し、出力軸１１の回転をロックしながら、ディスクタンブラー錠本体１の内筒３の回転を許容するために、変換レバー１８が、図１５に示すように、フランジ部材１２の背面側から中央孔にかけて取り付けられる。
【００６０】
この変換レバー１８は、レバー先端にＬ字状に曲折された押圧先端部１８ａを有し、末端にＬ字状に曲折された操作部１８ｂを設けて構成され、この変換レバー１８は、図１５に示す如く、フランジ部材１２内に形成された溝内に、出力軸１１の軸方向と直角方向に摺動可能に取り付けられる。キーコード（合鍵）を変換する場合、図１９に示すように、カバー１７からフランジ部材１２の背面側に突出した操作部１８ｂを操作して、出力軸側に向けて移動させると、変換レバー１８の押圧先端部１８ａが連結ピン１４の先端をピン孔９ｃ側に押し込む。これにより、図１９に示す如く、連結ピン１４がコイルばね１５を圧縮してその先端をピン孔９ｃ側に押し込まれ、連結ピン１４と出力軸１１との係合が外れ、連結軸９は回転可能となる。
【００６１】
ディスクタンブラー錠の延長部を組み付ける場合、図６，７、１５に示すように、変換レバー１８をフランジ部材１２の背面から開口孔にかけて形成された溝に嵌め込み、その状態で、出力軸１１の小径部１１ｂを、フランジ部材１２の固定円筒１３の開口孔に正面側から嵌め込み、背面側からＣリング１６を小径部１１ｂの外周に嵌着して、出力軸１１を上記のように約１３０°の範囲で回動可能に組み付ける。次に、出力軸１１の大径部１１ａの正面側の円形孔１１ｃに、連結軸９の末端嵌合部９ａを嵌め込む。このとき、上述のように、末端嵌合部９ａのピン孔９ｃには、コイルばね１５と共に連結ピン１４が挿入され、図１８に示すように、連結ピン１４の先端部は出力軸１１の円形孔１１ｃの側部に形成された係合孔１１ｄに嵌合し、連結状態となる。
【００６２】
一方、図１５のように、連結筒１０内には上記連結軸９を挿通させながら、連結筒１０の後背面部をフランジ部材１２の固定円筒１３の外側にはめ込み、図１８に示すように、かしめピン２９を、連結筒１０の所定位置に穿設した固定孔から固定円筒１３の固定孔に嵌入して、かしめ固定する。この状態で、連結軸９は連結筒１０内の軸芯位置に、出力軸１１と連結された状態で回転可能に保持されることとなる。また、上記のように、連結ピン１４の先端が出力軸１１の大径部１１ａの係合孔１１ｄに嵌合した状態で、連結軸９は、出力軸１１の使用回転範囲（ここでは約１３０°）で回転可能であり、変換レバー１８の操作部１８ｂを操作して出力軸１１側に摺動させ、連結ピン１４の先端部を内側に押し込んだときには、連結軸９と出力軸１１の連結が解除され、連結軸９は使用回転範囲を超えて回転可能となる。
【００６３】
このディスクタンブラー錠で使用される合鍵２５は、図２０に示すように、直方体形状のキーブランクの両側面に、各々１本の連続したキー溝２６を波形に蛇行して形成して構成される。合鍵２５をキー挿入孔３１に挿入した際、このキー溝２６には、上述のように、内筒３の各タンブラー挿入孔３２に挿入された第１ディスクタンブラー６の方形突起部６ｂが係合し、キー溝２６の蛇行形状に応じて８枚の第１ディスクタンブラー６が各々解錠位置に摺動することとなる。また、図３などに示すように、方形突起部６ｂは第１ディスクタンブラー６の方形穴６ａ内の一方の側に突設され、キー溝２６は、合鍵２５のキーブランクの両側に同じ形状の溝として形成され、これにより、合鍵を左右両側のリバーシブルで使用可能となっている。
【００６４】
次に、上記構成のディスクタンブラー錠の動作を説明する。合鍵を挿入しない通常施錠時、ディスクタンブラー錠本体１内の第１ディスクタンブラー６と第２ディスクタンブラー７は、図３のように、第１ロック部材４がその三角尖頭部を外筒２の係止溝２１に嵌合係止させ、第１ディスクタンブラー６と噛合した第２ディスクタンブラー７がその側縁部を第１ロック部材４の末端部に当接させ、さらに、第１ディスクタンブラー６と第２ディスクタンブラー７は、第１ロック部材４と第２ロック部材５により挟まれた状態である。これにより、第１ロック部材４は内側に摺動不可能であり、内筒３は回転をロックされ、施錠状態を保持する。またこのとき、連結軸９の末端嵌合部９ａのピン孔９ｃ内の連結ピン１４は、図１８のように、その先端を出力軸１１の係合孔１１ｄに突き出して係合させ、連結した状態にある。
【００６５】
次に、この状態で、合鍵２５をキー挿入孔３１に挿入すると、８枚の第１ディスクタンブラー６とそこに噛合する第２ディスクタンブラー７が、キー溝２６と方形突起部６ｂの係合により解錠位置に摺動する。例えば図３の場合は、下方に移動し、図１４に示すように、第２ディスクタンブラー７の開口凹部７ｂが第１ロック部材４の内側面（末端面）に対向する位置に移動する。このような第１ディスクタンブラー６とそこに噛合する第２ディスクタンブラー７の上または下への移動が、８枚全ての第１ディスクタンブラー６（第２ディスクタンブラー７）について行なわれ、８枚全ての第２ディスクタンブラー７の開口凹部７ｂが第１ロック部材４の内側面（末端面）に対向する位置に移動したとき、解錠状態となる。
【００６６】
この状態で、合鍵２５を時計方向または反時計方向に回動操作すれば、内筒３は、図１４のように、外筒２に対し回転し、使用時の最大回転角度範囲である例えば１３０°まで内筒３を回転することができる。そしてその後、合鍵を元の原位置まで戻せば、図１４の左図に示すように、第１ロック部材４が外筒２の係止溝２１に嵌合係止される。そして、合鍵をキー挿入孔３１から抜けば、図３に示すように、第２ディスクタンブラー７の側縁部が第１ロック部材４の末端部に当接し、第１ロック部材４がロックされて、施錠状態となる。
【００６７】
一方、キーコード（合鍵）を変換する際には、フランジ部材１２の背面側に突き出した変換レバー１８の操作部１８ｂを出力軸１１側に押しながら、キー挿入孔３１に挿入した旧合鍵を、時計方向または反時計方向に１８０°回転させる。このとき、図２１に示すように、第１ロック部材４がその末端部を第２ディスクタンブラー７の開口凹部７ｂ内に進入させながら、内筒３の内側に戻るように摺動し、これにより、第１ロック部材４によるロックが解除されて、内筒３は、１８０°回転することができる。内筒３の回転時、図２１のように、第１ディスクタンブラー６と第２ディスクタンブラー７は第１ロック部材４と第２ロック部材５により両側から挟持された状態で回転するため、その位置を安定して保持しながら回転することができる。
【００６８】
そして、内筒３が１８０°回転したとき、図２１の右図に示すように、第２ロック部材５の三角尖頭部が外筒２内の係止溝２１に嵌合し、さらに、第１ロック部材４の三角尖頭部が、外筒２の内側の第１ロック押込用突起２０に係合して、第１ロック部材４がこの第１ロック押込用突起２０により内筒３の内側に押し込まれる。これにより、第１ロック部材４の末端部の端面が第１ディスクタンブラー６を押し、第１ディスクタンブラー６は第２ディスクタンブラー７に対し図２１の右図の左側に移動する。このとき、第１ディスクタンブラー６の歯部６ｃから第２ディスクタンブラー７の方形突部７ａが離れ、噛合状態が解除される。また、このとき、第１ディスクタンブラー６の側端部が第２ロック部材５の末端部に当接し、第２ロック部材５の三角尖頭部が外筒２内の係止溝２１に嵌合したロック状態を保持する。また、このときも、第１ディスクタンブラー６と第２ディスクタンブラー７は第１ロック部材４と第２ロック部材５により両側から挟持された状態となり、その姿勢と位置は安定して保持される。
【００６９】
一方、変換レバー１８を出力軸１１側に操作したとき、図１８、図１９に示すように、変換レバー１８の押圧先端部１８ａが連結ピン１４の先端部をピン孔９ｃ内に押し込み、連結軸９の末端嵌合部９ａと出力軸１１との係合を離脱させる。これにより、連結軸９は、内筒３の回転時、出力軸１１とは離れて図１９のように回転し、内筒３が１８０°回転したとき、図１９の右図のように、連結ピン１４の先端が出力軸１１の大径部１１ａの係合孔１１ｄに到達し、コイルばね１５の付勢力によりそこに嵌合した状態となる。このように、キーコード変換時に、内筒３を１８０°回転したとき、図２１の右図の如く、第２ロック部材５は係止溝２１に嵌合し、連結ピン１４の先端が出力軸１１の大径部１１ａの係合孔１１ｄに嵌合して、その変換姿勢は保持される。つまり、連結ピン１４と係合孔１１ｄとの嵌合によっても、ディスクタンブラー錠本体１の内筒３の位置は保持されることとなる。
【００７０】
次に、この状態で、旧合鍵をキー挿入孔３１から抜き、代わりに新合鍵２５をキー挿入孔３１に挿入すると、上述のように、第１ディスクタンブラー６の歯部６ｃから第２ディスクタンブラー７の方形突部７ａが離れ、噛合状態が解除されているので、第１ディスクタンブラー６は、その方形突起部６ｂが係合する新合鍵２５のキー溝２６の蛇行形状に応じて上または下に移動し、例えば図２２に示す場合には、第１ディスクタンブラー６は第２ディスクタンブラー７に対し歯部６ｃの１ピッチ分だけ上に移動する。
【００７１】
次に、新合鍵２５を元の原位置に戻すように、例えば時計方向に回転すると、内筒３が同方向に図２２の如く回転し、このとき、第１ロック部材４と第１ロック押込用突起２０との係合が外れて、第１ロック部材４が外側に摺動すると共に、第２ロック部材５の先端が係止溝２１から外れて外筒２の内周面を摺動することにより、第２ロック部材５の末端部が第１ディスクタンブラー６を内側に押し、これにより、図２２の右図に示すように、第１ディスクタンブラー６の歯部６ｃと第２ディスクタンブラー７の方形突部７ａが再び噛合した状態、つまり新合鍵２５のキーコードに変換した状態となる。そして、この状態で、内筒３が１８０°回転し、元の原位置に戻されたとき、図２３の左図に示すように、第１ロック部材４の三角尖頭部が外筒２内の係止溝２１に嵌合し、連結軸９のピン孔９ｃ内の連結ピン１４は、図１８に示すように、その先端が出力軸１１の係合孔１１ｄに嵌合し、前の状態に戻ることとなる。
【００７２】
そしてこの状態で、新合鍵２５をキー挿入孔３１から抜けば、図２３の右図に示すように、各第１ディスクタンブラー６の方形突起部６ｂが新合鍵２５のキー溝２６を通過する際、ランダムな位置に移動することとなり、その結果、図２３の右図の如く、第２ディスクタンブラー７の側縁部が第１ロック部材４の末端部に当接し、第２ロック部材５の末端部は第１ディスクタンブラー６の側縁部に当接して第２ディスクタンブラー７側に押圧する状態となり、内筒３は、第１ロック部材４と係止溝２１の嵌合によりロックされ、通常施錠状態となる。
【００７３】
このように、上記ディスクタンブラー錠は、旧合鍵を挿入して１８０°回した状態で旧合鍵を引き抜き、代わりに新合鍵をキー挿入孔３１に挿入し、元の原位置に戻すように１８０°回転するだけの簡単な操作により、キーコード（合鍵）を簡便に変換することができる。
【００７４】
また、第１ディスクタンブラー６と第２ディスクタンブラー７の係合は、第１ディスクタンブラー６に設けたラック状の歯部６ｃと第２ディスクタンブラー７の方形突部７ａの噛合により行なうため、キーコード（合鍵）を変換する際、正確に且つ確実に歯部のピッチ分だけずらして、第１ディスクタンブラー６と第２ディスクタンブラー７の係合形態の変更による、キーコード（合鍵）の変換を正確且つ確実に行なうことができる。
【００７５】
さらに、合鍵を抜き差しする際、第１ディスクタンブラー６と第２ディスクタンブラー７は、第１ディスクタンブラー６に設けたラック状の歯部６ｃと第２ディスクタンブラー７の方形突部７ａの噛合により、その係合が確実に保持されるので、繰り返しの解錠・施錠操作においても、動作不良が生じず、充分な耐久性を持って使用することができる。
【００７６】
さらに、このディスクタンブラー錠は、第１ディスクタンブラー６と第２ディスクタンブラー７とを主要部品として、部品点数の少ない簡易な構造とすることができる一方、上記のように、第１ディスクタンブラー６の歯部６ｃと第２ディスクタンブラー７の方形突部７ａの噛合組合せを３形態とし、第１ディスクタンブラー６と第２ディスクタンブラー７を各々８枚使用した場合、３8＝６５６１通りという、実際の使用に則した非常に多くのキーコード（合鍵）を設定することができる。
【００７７】
なお、上記実施形態では、通常使用時、合鍵２５を時計方向または反時計方向に１３０°回すようにしたが、通常使用時の合鍵つまり内筒３の回転角度範囲は任意に設定することができる。
【００７８】
また、上記実施形態では、第１ディスクタンブラーと第２ディスクタンブラーの噛合組合せを３形態としたが、ラック状の歯部の歯数を増して噛合組合せを４形態として、より多くのキーコード（合鍵）を設定することができる。
【００７９】
また、上記ではキーコードの変換時、旧合鍵を１８０°回して変換操作を行なったが、通常使用時の合鍵の回転範囲を超えた回転範囲であれば、１８０°以外の回転角度を変換時の内筒の回転角度として設定することもできる。その場合、変換時の内筒の回転角度に対応した内筒の内周面位置に第１ロック押込用突起を突設しておき、変換時の内筒の回転角度に内筒を回転させたとき、第１ロック部材がその第１ロック押込用突起により内筒の内側に押し込まれ、第１ディスクタンブラーの歯部と第２ディスクタンブラーの方形突部の噛合が解除されて離脱する構造とすればよい。
【００８０】
また、上記実施形態では、ディスクタンブラー錠本体１の基部に延長部を連結して長尺のシリンダ錠としたが、ディスクタンブラー錠本体のみで、延長部を連結せずに使用することもできる。その場合には、上記外筒２の基部にフランジ部を形成し、そのフランジ部の中央に開口した開口孔に出力軸を装着し、内筒３の連結嵌合部３８をその出力軸に嵌合させ、連結嵌合部３８の端部に孔を軸と垂直方向に穿設し、その孔に連結部材を摺動可能に嵌入させ、フランジ部に設けた変換レバーにより連結部材を移動させて、キーコード変換時の出力軸と内筒の連結解除を行なうことができる。
【符号の説明】
【００８１】
１      ディスクタンブラー錠本体
２      外筒
３      内筒
４      第１ロック部材
５      第２ロック部材
６      第１ディスクタンブラー
６ａ    方形穴
６ｂ    方形突起部
６ｃ    歯部
７      第２ディスクタンブラー
７ａ    方形突部
７ｂ    開口凹部
９      連結軸
９ａ    末端嵌合部
９ｂ    先端嵌合部
９ｃ    ピン孔
１０    連結筒
１１    出力軸
１１ａ  大径部
１１ｂ  小径部
１１ｃ  円形孔
１１ｄ  係合孔
１２    フランジ部材
１３    固定円筒
１４    連結ピン
１８    変換レバー
２０    第１ロック押込用突起
２１    係止溝
２５    合鍵
２６    キー溝
３１    キー挿入孔
３２    タンブラー挿入孔
３３    タンブラー挿入孔
３４    第１ロック用溝
３５    第２ロック用溝
【図１】
2011169007.tif 000003
【図２】
2011169007.tif 000004
【図３】
2011169007.tif 000005
【図４】
2011169007.tif 000006
【図５】
2011169007.tif 000007
【図６】
2011169007.tif 000008
【図７】
2011169007.tif 000009
【図８】
2011169007.tif 000010
【図９】
2011169007.tif 000011
【図１０】
2011169007.tif 000012
【図１１】
2011169007.tif 000013
【図１２】
2011169007.tif 000014
【図１３】
2011169007.tif 000015
【図１４】
2011169007.tif 000016
【図１５】
2011169007.tif 000017
【図１６】
2011169007.tif 000018
【図１７】
2011169007.tif 000019
【図１８】
2011169007.tif 000020
【図１９】
2011169007.tif 000021
【図２０】
2011169007.tif 000022
【図２１】
2011169007.tif 000023
【図２２】
2011169007.tif 000024
【図２３】
2011169007.tif 000025